(57)【要約】【課題】  電源がオフになっても時間情報がクリアされず、電源再投入時に外部から時間情報が得られないときでも時計表示を可能にした放送受信装置および時計表示方法を提供する。【解決手段】  デジタルテレビジョン放送受信装置１１は、アンテナ４３，４８、チューナ４５，５０によりデジタル放送を選択して受信する機能、および各種インターフェースを通して外部の機器を接続できる機能を備え、全体の制御は制御部５６で行われ、時刻設定は自走型のタイマー部７１により行われ、デジタル放送等に含む時間情報やユーザ設定により時刻を更新できる。タイマー部７１は、バックアップ電源７２によってバックアップされており、主電源がオフになっても時間情報は消失せず、電源再投入時にデジタル放送等から時間情報を得られない場合でも、時計表示が可能になる。【選択図】    図２
2006094357.tif 000002
【特許請求の範囲】
【請求項１】
バックアップ用電源と、
自走動作をし、任意に時刻の設定が可能であるとともに、主電源のオフ時に前記バックアップ用電源から電源供給を受けるタイマー部と、
外部からの時間情報を入手する時間情報入力手段と、
外部から前記時間情報を入手できたとき、前記時間情報に基づいて時計表示を行い、外部から前記時間情報の入手が困難であるとき、前記タイマー部に保持された時間情報に基づいて時計表示を行わせる制御部とを有することを特徴とする放送受信装置。
【請求項２】
バックアップ用電源と、
自走動作をし、任意に時刻の設定が可能であるとともに、主電源のオフ時に前記バックアップ用電源から電源供給を受けるタイマー部と、
外部からの時間情報を入手する時間情報入力手段と、
入手した前記時間情報に基づく時計表示を行わせる制御部とを有することを特徴とする放送受信装置。
【請求項３】
バックアップ用電源と、
自走動作をし、任意に時刻の設定が可能であるとともに、主電源のオフ時に前記バックアップ用電源から電源供給を受けるタイマー部と、
外部から第１の時間情報を入手する時間情報入力手段と、
前記タイマー部に保持された第２の時間情報を第１の時間情報に基づいて更新する制御部とを有することを特徴とする放送受信装置。
【請求項４】
バックアップ用電源と、
自走動作をし、任意に時刻の設定が可能であるとともに、主電源のオフ時に前記バックアップ用電源から電源供給を受けるタイマー部と、
外部からの時間情報を入手する時間情報入力手段と、
外部から前記時間情報の入手が困難であるとき、ユーザ操作に基づいて前記タイマー部に前記時間情報の入力を許容する制御部とを有することを特徴とする放送受信装置。
【請求項５】
バックアップ用電源と、
自走動作をし、任意に時刻の設定が可能であるとともに、主電源のオフ時に前記バックアップ用電源から電源供給を受けるタイマー部と、
外部から入手する時間情報を、デジタル放送、ネットワーク、およびユーザ操作に基づく入力の優先順位で入手する時間情報入力手段と、
入手した前記時間情報に基づく時計表示を行わせる制御部とを有することを特徴とする放送受信装置。
【請求項６】
バックアップ用電源と、
自走動作をし、任意に時刻の設定が可能であるとともに、主電源のオフ時に前記バックアップ用電源から電源供給を受けるタイマー部と、
外部からの時間情報を入手する時間情報入力手段と、
外部から入手した前記時間情報が異常であるとき、ユーザ操作に基づいて前記タイマー部に前記時間情報の入力を許容する制御部とを有することを特徴とする放送受信装置。
【請求項７】
前記制御部は、前記主電源がオフにされたとき、前記デジタル放送から得られた前記時間情報があるときには、この時間情報を用いて前記タイマー部に保持された時間情報の更新を行うことを特徴とする請求項１から５のいずれか１項に記載の放送受信装置。
【請求項８】
前記バックアップ用電源は、電気二重層コンデンサであることを特徴とする請求項１から６のいずれか１項に記載の放送受信装置。
【請求項９】
第１の時間情報を含む送信信号を受信する受信段階と、
受信した前記送信信号の前記第１の時間情報に基づいて時計表示を行い、前記第１の時間情報が入手不可であるとき、タイマー部に保持された第２の時間情報に基づく時計表示を行う時計表示段階とを有することを特徴とする時計表示方法。
【請求項１０】
第１の時間情報を含む送信信号を受信する受信段階と、
受信した前記送信信号の前記第１の時間情報に基づいて時計表示を行い、タイマー部に保持された第２の時間情報を前記第１の時間情報に基づいて更新する時間情報更新段階と、
更新された前記第２の時間情報に基づく時計表示を行う時計表示段階とを有することを特徴とする時計表示方法。
【請求項１１】
前記受信段階は、前記送信信号として前記第１の時間情報を含む衛星デジタルテレビジョン放送を受信することを特徴とする請求項９または１０に記載の時計表示方法。
【請求項１２】
前記受信段階は、最新の時刻情報である前記第１の時間情報を送信する複数の送信源から予め定めた優先順位で前記第１の時間情報を入手することを特徴とする請求項９または１０に記載の時計表示方法。
【請求項１３】
前記受信段階は、前記第１の時間情報を含む前記送信信号によらずにユーザの操作に基づく時間情報の入力を含むことを特徴とする請求項９または１０に記載の時間表示方法。
【発明の詳細な説明】
【技術分野】
【０００１】
本発明は、デジタルテレビジョン放送等を受信する放送受信装置に関し、特に、電源がオフになっても時間情報がクリアされず、電源再投入時に外部から時間情報が得られないときでも時計表示を可能にした放送受信装置および時計表示方法に関する。
【背景技術】
【０００２】
テレビジョン受像機等の放送受信装置は、従来より、半導体技術の進歩に伴い、単に放送を受信する機能に加え、タイマー機能、スリープ機能等をほとんどの機種が備えている。この機能を実現するために、水晶振動子を用いた時計回路や、送信信号に含まれる時間情報を受信して時刻設定を行う回路を備えている。
【０００３】
時間情報を受信して時刻設定を行う時計装置として、例えば、特許文献１に示されるものがある。この時計装置は、時刻情報を含む放送信号を受信し、複合映像信号から時刻信号デコーダで時刻データを分離し、この時刻データを用いて制御マイコンによりタイマーの時刻設定を行うとともに、一定時間ごとに時刻設定を修正する。これにより、電源投入のみにより常時正確な時間が設定され、タイマー録画等で録画しようとする番組の先頭切れ等が生じないタイマー内蔵の電子機器を得ることができる。
【特許文献１】特開平７−１２９６３号公報（［００１４］、［００２１］、［００２２］〜［００２８］、図１、図２）
【発明の開示】
【発明が解決しようとする課題】
【０００４】
しかし、従来の放送受信装置によると、電源がオフになるとタイマー自身の時間情報がクリアされ、電源再投入時にタイマーの時刻設定の処理が行われるが、その際、受信状態が悪いと時間情報を取り込むことができないため、タイマーの時間設定ができなくなる。
【０００５】
従って、本発明の目的は、電源がオフになっても時間情報がクリアされず、電源再投入時に外部から時間情報が得られないときでも時計表示を可能にした放送受信装置および時計表示方法を提供することにある。
【課題を解決するための手段】
【０００６】
本発明は、上記目的を達成するため、バックアップ用電源と、自走動作をし、任意に時刻の設定が可能であるとともに、主電源のオフ時に前記バックアップ用電源から電源供給を受けるタイマー部と、外部からの時間情報を入手する時間情報入力手段と、外部から前記時間情報を入手できたとき、前記時間情報に基づいて時計表示を行い、外部から前記時間情報の入手が困難であるとき、前記タイマー部に保持された時間情報に基づいて時計表示を行わせる制御部とを有することを特徴とする放送受信装置を提供する。
【０００７】
また、本発明は、上記目的を達成するため、バックアップ用電源と、自走動作をし、任意に時刻の設定が可能であるとともに、主電源のオフ時に前記バックアップ用電源から電源供給を受けるタイマー部と、外部からの時間情報を入手する時間情報入力手段と、入手した前記時間情報に基づく時計表示を行わせる制御部とを有することを特徴とする放送受信装置を提供する。
【０００８】
また、本発明は、上記目的を達成するため、バックアップ用電源と、自走動作をし、任意に時刻の設定が可能であるとともに、主電源のオフ時に前記バックアップ用電源から電源供給を受けるタイマー部と、外部から第１の時間情報を入手する時間情報入力手段と、前記タイマー部に保持された第２の時間情報を第１の時間情報に基づいて更新する制御部とを有することを特徴とする放送受信装置を提供する。
【０００９】
また、本発明は、上記目的を達成するため、バックアップ用電源と、自走動作をし、任意に時刻の設定が可能であるとともに、主電源のオフ時に前記バックアップ用電源から電源供給を受けるタイマー部と、外部からの時間情報を入手する時間情報入力手段と、外部から前記時間情報の入手が困難であるとき、ユーザ操作に基づいて前記タイマー部に前記時間情報の入力を許容する制御部とを有することを特徴とする放送受信装置を提供する。
【００１０】
また、本発明は、上記目的を達成するため、バックアップ用電源と、自走動作をし、任意に時刻の設定が可能であるとともに、主電源のオフ時に前記バックアップ用電源から電源供給を受けるタイマー部と、外部から入手する時間情報を、デジタル放送、ネットワーク、およびユーザ操作に基づく入力の優先順位で入手する時間情報入力手段と、入手した前記時間情報に基づく時計表示を行わせる制御部とを有することを特徴とする放送受信装置を提供する。
【００１１】
また、本発明は、上記目的を達成するため、バックアップ用電源と、自走動作をし、任意に時刻の設定が可能であるとともに、主電源のオフ時に前記バックアップ用電源から電源供給を受けるタイマー部と、外部からの時間情報を入手する時間情報入力手段と、外部から入手した前記時間情報が異常であるとき、ユーザ操作に基づいて前記タイマー部に前記時間情報の入力を許容する制御部とを有することを特徴とする放送受信装置を提供する。
【００１２】
また、本発明は、上記目的を達成するため、第１の時間情報を含む送信信号を受信する受信段階と、受信した前記送信信号の前記第１の時間情報に基づいて時計表示を行い、前記第１の時間情報が入手不可であるとき、タイマー部に保持された第２の時間情報に基づく時計表示を行う時計表示段階とを有することを特徴とする時計表示方法を提供する。
【００１３】
また、本発明は、上記目的を達成するため、第１の時間情報を含む送信信号を受信する受信段階と、受信した前記送信信号の前記第１の時間情報に基づいて時計表示を行い、タイマー部に保持された第２の時間情報を前記第１の時間情報に基づいて更新する時間情報更新段階と、更新された前記第２の時間情報に基づく時計表示を行う時計表示段階とを有することを特徴とする時計表示方法を提供する。
【発明の効果】
【００１４】
本発明によれば、電源再投入時に電波の受信状況が悪く、外部から時問情報を入手できないときでも、タイマー部により時計表示を行うことができる。
【発明を実施するための最良の形態】
【００１５】
［第１の実施の形態］
（放送受信装置の構成）
図１は、本発明の第１の実施の形態に係る放送受信装置の全体構成を示すブロック図である。この放送受信装置１０は、デジタルテレビジョン放送受信装置１１を主体に構成されている。
【００１６】
放送受信装置１０は、デジタルテレビジョン放送受信装置１１と、デジタルテレビジョン放送受信装置１１に着脱可能な第１および第２のメモリカード１９，２０と、第１のＬＡＮ（Local Area Network）端子２１、第２のＬＡＮ端子２２、ＵＳＢ（Universal Serial Bus）端子２３と、ＩＥＥＥ（Institute of Electrical and Electronics Engineers）１３９４端子２４と、第１のＬＡＮ端子２１に接続したＨＤＤ（Hard Disc Drive）２５と、ＨＤＤ２７、ＰＣ（Personal Computer）２８、およびブロードバンドルータ３１を接続するとともに第２のＬＡＮ端子２２を接続したハブ２６と、ハブ２６に接続すると共にアナログ伝送路３０を介してデジタルテレビジョン放送受信装置１１に接続したＨＤＤ内蔵のＤＶＤ(Digital Versatile Disk)レコーダ２９と、ＵＳＢ端子２３に接続したハブ３５とを備える。第１のＬＡＮ２１、第２のＬＡＮ端子２２、ＵＳＢ端子２３、およびＩＥＥＥ１３９４端子２４は、端子部６８として１箇所にまとめられている。
【００１７】
デジタルテレビジョン放送受信装置１１は、樹脂成形等によるキャビネット１２と、このキャビネット１２を保持する支持台１３とを有している。そして、キャビネット１２には、例えば液晶表示パネル等による平面パネル型の映像表示器１４、スピーカ１５、操作部１６、リモートコントローラ１７から送信された操作情報を受光する受光部１８等が設置されている。
【００１８】
第１のメモリカード１９は、例えば、ＳＤ（Secure Digital）メモリカード、ＭＭＣ（Multimedia Card）、メモリスティック（登録商標）等であり、番組や写真等の情報の記録再生に用いられる。また、第２のメモリカード２０は、例えば、契約情報等が記録されており、デジタルテレビジョン放送受信装置１１に着脱可能に構成されている。
【００１９】
第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行うために使用される。第１のＬＡＮ端子２１を設けることにより、他のネットワーク環境やネットワーク使用状況等に影響されることなく、ＨＤＤ２５に対してハイビジョン画質による番組の情報記録を安定して行える環境を構築できる。
【００２０】
第２のＬＡＮ端子２２は、イーサネット（登録商標）を用いた一般的なＬＡＮ対応ポートとして使用されるもので、ハブ２６を介して、ＬＡＮ対応のＨＤＤ２７、ＰＣ２８、ＨＤＤ内蔵のＤＶＤレコーダ２９等の機器との間で情報伝送を行うために使用される。
【００２１】
ＵＳＢ端子２３は、一般的なＵＳＢ対応ポートとして使用されるもので、ハブ３５を接続している。このハブ３５には、携帯電話３６、デジタルカメラ３７、カードリーダ／ライタ３８、ＨＤＤ３９、キーボード４０等を接続することができる。
【００２２】
ＩＥＥＥ１３９４端子２４には、ＡＶ-ＨＤＤ４１を接続でき、更に、ＡＶ-ＨＤＤ４１にシリアル接続させて、Ｄ(Digital)−ＶＨＳ(Video Home System)４２を接続することができる。
【００２３】
ブロードバンドルータ３１には、ネットワーク３２が接続され、このネットワーク３２には、ＰＣ３３や携帯電話３４を接続することができる。
【００２４】
（デジタルテレビジョン放送受信装置の構成）
図２は、デジタルテレビジョン放送受信装置１１の詳細を示すブロック図である。ＢＳ（放送衛星）／ＣＳ（通信衛星）デジタル放送受信用のアンテナ４３に接続した入力端子４４と、入力端子４４に接続したチューナ４５と、チューナ４５に接続したＰＳＫ(Phase Shift Keying：位相変調)復調器４６と、ＰＳＫ復調器４６に接続した信号処理部４７と、地上デジタル放送受信用のアンテナ４８に接続した入力端子４９と、入力端子４９に接続した地上デジタル放送受信用のチューナ５０と、チューナ５０および信号処理部４７に接続したＯＦＤＭ(Orthogonal Frequency Division Multiplexing：直交周波数分割多重)復調器５１と、信号処理部４７に接続したグラフィック処理部５２と、信号処理部４７に接続した音声処理部５３と、グラフィック処理部５２に接続したＯＳＤ(On Screen Display)信号生成部５４と、グラフィック処理部５２に接続した映像処理部５５と、図示しないＣＰＵ、このＣＰＵが実行する制御プログラムを格納したＲＯＭ(Read Only Memory)５７、前記ＣＰＵに作業エリアを提供するＲＡＭ(Random Access Memory)５８、および各種の設定情報及び制御情報等を格納した不揮発性メモリ５９を用いて構成されるとともにデジタルテレビジョン放送受信装置１１の全体を制御する制御部５６と、制御部５６に接続したカードＩ／Ｆ（Interface）６０と、第１のメモリカード１９が装填されるカードホルダ６１と、制御部５６に接続したカードＩ／Ｆ６２と、第２のメモリカード２０が装填されるカードホルダ６３と、制御部５６に接続した通信Ｉ／Ｆ６４，６５と、制御部５６に接続したＵＳＢＩ／Ｆ６６と、制御部５６に接続したＩＥＥＥ１３９４Ｉ／Ｆ６７と、入力端子４９に接続したアナログ放送用のチューナ６９と、チューナ６９および信号処理部４７に接続したアナログ復調器７０と、制御部５６に接続したタイマー部７１と、タイマー部７１に電源供給を行うバックアップ電源７２とを備える。
【００２５】
ここで、チューナ４５、ＰＳＫ復調器４６、信号処理部４７、チューナ５０、およびＯＦＤＭ復調器５１により、時間情報入力手段を構成している。
【００２６】
アンテナ４３は、通常、パラボラアンテナが用いられる。アンテナ４８は、地上波受信用であり、例えば、八木アンテナ等が用いられる。
【００２７】
チューナ４５は、衛星デジタル放送受信用であり、制御部５６の制御によって選局を行い、衛星デジタルテレビジョン放送を受信する構成を有する。ＰＳＫ復調器４６は、衛星デジタルテレビジョン放送をデジタルの映像信号と音声信号に復調する構成を有する。
【００２８】
チューナ５０は、地上デジタル放送受信用であり、制御部５６の制御によって選局を行い、地上デジタルテレビジョン放送を受信する構成を有する。ＯＦＤＭ復調器５１は、地上デジタルテレビジョン放送をデジタルの映像信号と音声信号に復調する構成を有する。
【００２９】
また、チューナ６９は、従来よりのアナログ放送受信用であり、制御部５６の制御によって選局を行い、アナログテレビジョン放送を受信する構成を有する。アナログ復調器７０は、アナログテレビジョン放送をアナログによる映像信号と音声信号に復調する構成を有する。
【００３０】
信号処理部４７は、ＰＳＫ復調器４６から供給されたデジタルの映像信号及び音声信号と、ＯＦＤＭ復調器５１から供給されたデジタルの映像信号及び音声信号とに対して、選択的に所定のデジタル信号処理を施し、グラフィック処理部５２及び音声処理部５３へ出力する構成を有する。また、信号処理部４７は、アナログ復調器７０による復調信号をデジタル化し、それぞれの結果をグラフィック処理部５２及び音声処理部５３へ出力する構成を有する。
【００３１】
グラフィック処理部５２は、信号処理部４７からのデジタルの映像信号に、ＯＳＤ信号生成部５４で生成したＯＳＤ信号を重畳して出力する構成を有する。また、グラフィック処理部５２は、信号処理部４７の出力映像信号とＯＳＤ信号生成部５４の出力ＯＳＤ信号とを選択的に出力し、或いは両方からの出力画面が半分づつを占めるようにして出力する。
【００３２】
音声処理部５３は、信号処理部４７からのデジタルによる音声信号を、スピーカ１５が再生可能なアナログ音声信号に変換するとともに、音声増幅を行って出力する構成を有する。
【００３３】
映像処理部５５は、グラフィック処理部５２からのデジタル映像信号を、映像表示器１４が表示可能なフォーマットのアナログ映像信号に変換して映像表示器１４へ出力する構成を有する。
【００３４】
制御部５６は、操作部１６からの操作情報を受け、又はリモートコントローラ１７から送出された操作情報を受光部１８を介して受信し、その操作内容を反映した制御を実行する。また、制御部５６は、第1のメモリカード１９がカードホルダ６１に装着されているとき、カードＩ／Ｆ６０を介して第1のメモリカード１９との間で情報伝送を実行する。同様に、第２のメモリカード２０がカードホルダ６３に装着されているとき、第２のメモリカード２０との間で情報伝送を実行する。
【００３５】
さらに、制御部５６は、第１のＬＡＮ端子２１に接続されたＬＡＮ対応のＨＤＤ２５との間の情報伝送を行なう構成を有する。この場合、制御部５６は、ＤＨＣＰ(Dynamic Host Configuration Protocol)サーバ機能を有し、第１のＬＡＮ端子２１に接続されたＬＡＮ対応のＨＤＤ２５にＩＰ(Internet Protocol)アドレスを割り当てて制御を実行する。また、制御部５６は、第２のＬＡＮ端子２２にハブ２６を介して接続された図１の各機器との間で通信Ｉ／Ｆ６５を介して情報伝送を行なう構成を有する。また、制御部５６は、ＵＳＢ端子２３にハブ３５を介して接続された各機器との間でＵＳＢＩ／Ｆ６６を介して情報伝送を行なうほか、ＩＥＥＥ１３９４端子２４に接続された各機器との間でＩＥＥＥ１３９４Ｉ／Ｆ６７を介して情報伝送を行なう構成を有する。
【００３６】
タイマー部７１は、例えば、水晶発信回路、分周回路等によりベースクロックを生成し、これに基づいて時間情報を生成するリアルタイムクロック機能、単独で動作をする自走機能、および外部から時間情報を更新できる機能を有している。このタイマー部７１は、電源オフ時には、バックアップ電源７２を電源にして動作し、デジタルテレビジョン放送受信装置１１が電源オフになっても自己の時間情報に基づいて時計動作を継続する。
【００３７】
バックアップ電源７２には、例えば、１ファラッド程度の静電容量を有する電気二重層コンデンサを用いることができる。この電気二重層コンデンサは、放電特性に優れ、充電電圧を長時間保持することができる。なお、バックアップ電源７２は、電気二重層コンデンサに限定されるものではなく、ボタン電池、二次電池等の電池であってもよい。
【００３８】
（デジタルテレビジョン放送受信装置の全体動作）
次に、デジタルテレビジョン放送受信装置１１の動作について説明する。ユーザが、操作部１６またはリモートコントローラ１７の電源ボタン（図示せず）を押すと、デジタルテレビジョン放送受信装置１０の電源がオンになる。購入後の設置、コードを抜いたまま長期間放置した後等において電源を投入したとき、リモートコントローラ１７等を用いてユーザが時間情報を設定した場合、この時間情報を制御部５６によりＲＡＭ５８に格納し、この時間情報を読み出してタイマー部７１の設定を実施する。以後、タイマー部７１は自走して計時を続けるが、デジタル放送受信用のアンテナ４３，４８が接続されており、かつ、その受信状況が良好である場合、デジタル放送の受信出力から時間情報を入手する。
【００３９】
ここで、ユーザがリモートコントローラ１７を操作して、ＢＳ／ＣＳデジタル放送、地上デジタル放送、またはアナログ放送の１つを選択すると、この選択に応じて、制御部５６はチューナ４５，５０，６９の内の対応する１つを動作状態にする。例えば、ＢＳ／ＣＳデジタル放送が選択された場合、アンテナ４３で受信した衛星デジタルテレビジョン放送信号は、入力端子４４を介して衛星デジタル放送用のチューナ４５に入力される。ユーザが所望のチャンネルを選択すると、そのチャンネルの放送信号はＰＳＫ復調器４６に入力される。ＰＳＫ復調器４６は、デジタルの映像信号、データ信号及び音声信号に復調した後、この復調信号を信号処理部４７に出力する。
【００４０】
また、アンテナ４８で受信した地上デジタルおよびアナログのテレビジョン放送信号は、入力端子４９を介して地上デジタル放送用のチューナ５０およびアナログ放送用のチューナ６９に送られる。チューナ５０で選局された地上デジタル放送信号は、ＯＦＤＭ復調器５１によってデジタルの映像信号、データ信号及び音声信号に復調された後、信号処理部４７に出力される。
【００４１】
信号処理部４７は、受信側からの復調信号に対し、放送系統ごとに映像信号と音声信号に所定のデジタル信号処理を施し、グラフィック処理部５２及び音声処理部５３へ出力する。また、信号処理部４７は、ＢＳデータ放送または地上波データ放送の情報から時間情報を抽出し、制御部５６内のＲＡＭ５８に一旦格納する。制御部５６は自走しているタイマー部７１の時間情報を読み込み、これがデータ放送から入力した値と比べ、ずれている場合は、タイマー部７１に対しデジタル放送より入手した時間情報をＲＡＭ５８から取り出しこれを設定する。待機状態の場合、主電源は落ちないので、受信状態が良好である限り常時新しい時間情報を入手することが可能であり、これに応じてタイマー部７１の時間情報を修正することができる。
【００４２】
デジタルテレビジョン放送受信装置１１の電源がオフにされたり、電源コードが引き抜かれた場合、或いは、降雨、降雪、食等によりデジタル放送の電波の受信状態が悪くなった場合、デジタル放送側からの時間情報の入手ができなくなり、タイマー部７１の時刻更新は行われなくなる。電源オフになっても、バックアップ電源７２からタイマー部７１に電源供給が行われ、タイマー部７１は機能を維持する。これにより、時間情報は更新され、電源オフ後に電源を立ち上げた際、制御部５６はタイマー部７１より時間情報を取り込み、これをＯＳＤ信号生成部５４に送出する。ＯＳＤ信号生成部５４は、時間情報を文字情報に変換してグラフィック処理部５２へ出力する。グラフィック処理部５２は文字情報を信号処理部４７からの映像信号に重畳し、さらに映像処理部５５によって色調整が行われる。こうして得られた映像信号が、映像表示器１４に時間情報として表示される。
【００４３】
グラフィック処理部５２からのデジタル映像信号は、映像処理部５５によって、映像表示器１４で表示可能なフォーマットのアナログ映像信号に変換した後、映像表示器１４に送られる。また、音声処理部５３では、信号処理部４７からのデジタルによる音声信号をアナログ音声信号に変換し、スピーカ１５を駆動する。スピーカ１５は、電気−音響変換を行って音声を再生出力する。
【００４４】
（時間情報の更新処理）
図３は、タイマー部７１の時間情報の更新処理を示すフローチャートである。同図中、Ｓはステップを表している。また、図４は、図３のＳ１０９における表示画面を示す。図３および図４を参照してタイマー部７１の時間情報の更新処理を説明する。
【００４５】
まず、デジタルテレビジョン放送受信装置１１の電源がオンにされると（Ｓ１０１）、デジタル放送の受信が可能か否かを判定する（Ｓ１０２）。時間情報の精度は、ユーザによる設定よりもデジタル放送のデータが上回っている。従って、デジタル放送を受信できたときには、デジタル放送の時間情報を時計表示に使用する（Ｓ１０３）。
【００４６】
ここで、映像表示器１４に「時間情報が正しく入手できません」と警告表示されている場合には、警告表示が消去される（Ｓ１０４）。デジタル放送による時間情報によるタイマー部７１の設定完了後、デジタルテレビジョン放送受信装置１１の電源がＯＦＦにされた場合（Ｓ１０５）、再度、デジタル側の受信状況を確認し（Ｓ１０６）、それが有効な場合には最新の時間情報をタイマー部７１に書き込む（Ｓ１０７）。Ｓ１０２〜Ｓ１０７の処理は、電源がＯＮの間は定期的に行われ（Ｓ１０８）、所定時間に達していない場合には、一旦、図３の処理ルーチンから抜け出た後、所定時間後にＳ１０８に戻される。
【００４７】
一方、デジタル放送を受信できなかったとき、ユーザによる設定が済んでいるか否かを判定する（Ｓ１０９）。例えば、電源投入時、デジタル放送受信用のアンテナ４３，４８が繋がっていない、受信状態が悪くデジタル放送からの時間情報を取り込むことができない等のとき、ユーザによる設定が未だなされていない場合、図４に示すように、制御部５６は、映像表示器１４の表示画面８０上に時間情報を正常に入手できなかった旨のメッセージ「時間情報が正しく入手できません」をメッセージ表示部８２に表示し（Ｓ１１０）、ユーザによる時間情報の更新が可能な動作モードにする。また、必要に応じてアラームをスピーカ１５から出力する。この段階でユーザの設定が有効となる。次に、ユーザによる設定の有無を判定し（Ｓ１１１）、設定有りの場合には、リモートコントローラ１７により設定された時間情報をタイマー部７１に設定する（Ｓ１１２）。この時間情報がタイマー部７１の初期値として登録される。
【００４８】
次に、メッセージ表示部８２の表示を消去すると共に、アラームを停止する（Ｓ１１３）。さらに、タイマー部７１の時間情報に基づいて時刻を時計表示部８１に表示する（Ｓ１１４）。この処理は、Ｓ１０９で「Ｙｅｓ」の判定がなされたときにも実行する。以後、Ｓ１０５〜Ｓ１０８の処理を実行する。
【００４９】
（第１の実施の形態の効果）
第１の実施の形態によれば、下記の効果を奏する。
（イ）タイマー部７１は、バックアップ電源７２によってバックアップされているため、主電源がオフになってもタイマー部７１が機能することにより時間情報はクリアされず、電源再投入時に電波の受信状況が悪く、デジタル放送から時問情報を入手できない場合でも、時計表示を行うことができる。
（ロ）デジタル放送から時間情報を入手できない場合でも、ユーザが手動でタイマー部７１に時刻を設定することで、デジタル放送が正常に受信できるようになるまでの間、時間情報を表示することができる。
（ハ）ネットワーク３２に接続されているとき、デジタル放送から時間情報を入手できない場合にはネットワーク３２から時間情報を取得するため、ユーザによる手動設定の必要性を減らすことができる。
（ニ）ユーザが手動でタイマー部７１に時刻を設定するときには、映像表示器１４に時間情報を正常に入手できなかった旨のメッセージが表示され、或いは警告が行われるため、ユーザは、現在、デジタルテレビジョン放送受信装置１１がどの様な状態にあるかを知ることができる。
【００５０】
なお、第１の実施の形態では、デジタル放送から時間情報を入手して時計表示させる構成を説明したが、このような機能はデジタル放送を見ないユーザについても有効である。すなわち、デジタルテレビジョン放送受信装置１１の電源がオンにされると、チューナ４５および５０はデジタル放送を受信可能な状態となるので、バックグラウンドでチューナ４５および５０のいずれか、あるいは両方でデジタル放送を受信して時間情報を入手することにより、アナログ放送を見ている場合でも映像表示器１４に時間情報として時計表示させることができる。
【００５１】
［第２の実施の形態］
図５は、本発明の第２の実施の形態に係る放送受信装置の時刻設定処理を示すフローチャートである。ここでは、タイマー部７１の時刻設定処理について示すとともに、図３のステップと同一であるステップについては、同一のステップ番号を用いている。また、ハードウェア構成は、図１および図２に示した通りである。従って、以下においては、重複する処理および構成についての説明は省略する。
【００５２】
Ｓ１０２でデジタル放送を受信できないことが判定されたとき、制御部５６はネットワーク通信が可能か否かを判定する（Ｓ２０１）。つまり、第２のＬＡＮ端子２２にハブ２６が接続され、さらにブロードバンドルータ３１にネットワーク３２が接続されているとき、ネットワーク３２から得られた時間情報を時計表示に利用する（Ｓ２０２）。以後、Ｓ１０４〜Ｓ１０７の処理を図３で説明したようにして実行する。なお、Ｓ２０１でネットワーク通信が行えないことが判明したとき、あるいはネットワーク３２から得られた時間情報が異常であり、タイマー部７１を更新するのに不適切なデータであるとき、処理はＳ１０９のユーザ設定の処理に移行する。
【００５３】
このように、Ｓ１０２の処理をＳ２０１よりも優先させた理由は、ネットワーク３２はアクセス件数が上がれば取り込みの速度が落ち、即答性に欠けるの対し、デジタル放送からの時間情報の方が確実なためである。また、タイマー部７１は、自走のため、一旦設定すると自動的に更新するものの、数十ｐｐｍの誤差を持っている。そこで、デジタル放送からの時間情報の入手の次に、ネットワーク３２から時間情報を取得するＳ２０１の処理を、Ｓ１０９の前段に設けている。
【００５４】
また、Ｓ１０６において、電源オフ後にデジタル放送の受信が行えなかったとき、ネットワーク通信が可能か否かを判定し（Ｓ２０３）、可能であれば、ネットワーク３２から得られた時間情報を用いてタイマー部７１に時間を設定する（Ｓ２０４）。以後、Ｓ１０８以降の処理を実行する。
【００５５】
（第２の実施の形態の効果）
この第２の実施の形態によれば、第１の実施の形態と同様の効果が得られるほか、デジタル放送からの時間情報の入手に加え、ネットワーク３２側から時間情報を取得できるため、デジタル放送を受信できない場合でも、ユーザの手によらずに時間設定をする機会を増やすことができる。
【００５６】
［他の実施の形態］
なお、本発明は、上記各実施の形態に限定されず、その要旨を変更しない範囲内で種々の変形が可能である。例えば、図２において、チューナ６９およびアナログ復調器７０によるアナログ放送受信系を有しない構成であってもよい。
【図面の簡単な説明】
【００５７】
【図１】本発明の第１の実施の形態に係る放送受信装置の全体構成を示すブロック図である。
【図２】図１のデジタルテレビジョン放送受信装置の詳細構成を示すブロック図である。
【図３】図１のタイマー部における時間情報の更新処理を示すフローチャートである。
【図４】図３のＳ１０９における表示画面を示す画面図である。
【図５】本発明の第２の実施の形態に係る放送受信装置の時間情報の更新処理を示すフローチャートである。
【符号の説明】
【００５８】
１０…放送受信装置、１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ＩＥＥＥ１３９４端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、４０…キーボード、４１…ＡＶ-ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…グラフィック処理部、５３…音声処理部、５４…信号生成部、５５…映像処理部、５６…制御部、５７…ＲＯＭ、５８…ＲＡＭ、５９…不揮発性メモリ、６０…カードＩ／Ｆ、６１…カードホルダ、６２…カードＩ／Ｆ、６３…カードホルダ、６４…通信Ｉ／Ｆ、６５…通信Ｉ／Ｆ、６６…ＵＳＢ、Ｉ／Ｆ、６７…ＩＥＥＥ１３９４Ｉ／Ｆ、６８…端子部、６９…チューナ、７０…アナログ復調器、７１…タイマー部、７２…バックアップ電源、８０…表示画面、８１…時計表示部、８２…メッセージ表示部、
【図１】
2006094357.tif 000003
【図２】
2006094357.tif 000004
【図３】
2006094357.tif 000005
【図４】
2006094357.tif 000006
【図５】
2006094357.tif 000007